(57)【特許請求の範囲】
【請求項１】
指向特性が無指向性である第１乃至第３のマイクロフォンであって、前記第１のマイクロフォンが、複数の方向のうち１つの方向の正面に配され、前記第２のマイクロフォンが前記第１のマイクロフォンの後方に配され、前記第３のマイクロフォンが前記第１及び第２のマイクロフォンのほぼ中間であって、前記第１及び第２のマイクロフォンを通る軸に対して左側に配され、
前記第１のマイクロフォンが生成したアナログ音声信号から第１の位相遅れ成分を減じる第１の位相減算手段と、
前記第２のマイクロフォンが生成したアナログ音声信号から第２の位相遅れ成分を減じる第２の位相減算手段と、
前記第３のマイクロフォンが生成したアナログ音声信号から第３の位相遅れ成分を減じる第３の位相減算手段と、
前記第１の位相減算手段が前記第１の位相遅れ成分を減じたアナログ音声信号に第１の乗算係数を乗じる第１の乗算手段と、
前記第２の位相減算手段が前記第２の位相遅れ成分を減じたアナログ音声信号に第２の乗算係数を乗じる第２の乗算手段と、
前記第３の位相減算手段が前記第３の位相遅れ成分を減じたアナログ音声信号に第３の乗算係数を乗じる第３の乗算手段と、
前記第１のマイクロフォンが生成したアナログ音声信号から前記第２の乗算手段が生成したアナログ音声信号を減じて前方向の音声帯域信号を生成する第１の減算手段と、
前記第２のマイクロフォンが生成したアナログ音声信号から前記第１の乗算手段が生成したアナログ音声信号を減じて後方向の音声帯域信号を生成する第２の減算手段と、
前記第３のマイクロフォンが生成したアナログ音声信号から前記第２の乗算手段が生成したアナログ音声信号を減じて前方左方向の音声帯域信号を生成する第３の減算手段と、
前記第２のマイクロフォンが生成したアナログ音声信号から前記第３の乗算手段が生成したアナログ音声信号を減じて後方右方向の音声帯域信号を生成する第４の減算手段と、
前記第３のマイクロフォンが生成したアナログ音声信号から前記第１の乗算手段が生成したアナログ音声信号を減じて後方左方向の音声帯域信号を生成する第５の減算手段と、
前記第１のマイクロフォンが生成したアナログ音声信号から前記第３の乗算手段が生成したアナログ音声信号を減じて前方右方向の音声帯域信号を生成する第６の減算手段と、
前記前方向の音声帯域信号、前方左方向の音声帯域信号、前方右方向の音声帯域信号、後方向の音声帯域信号よりサブウーハーチャンネル信号を生成し、前記前方向の音声帯域信号、前方左方向の音声帯域信号、前方右方向の音声帯域信号、後方向の音声帯域信号及びサブウーハーチャンネル信号をアナログ／デジタル変換して得られたデジタル音声信号であって、映像に合わせて再生可能とする複数チャンネルのデジタル音声信号を所定の方式にエンコードする記録信号処理手段と、
エンコードされた前記複数チャンネルのデジタル音声信号を多重化した音声帯域信号として記録する記録手段と、
前記記録手段から読み出した多重化された前記音声帯域信号をデコードして前記複数チャンネルのデジタル音声信号に復元し、復元された前記複数チャンネルのデジタル音声信号から任意の数のチャンネルのデジタル音声信号を選択し、ミックスダウンして音場効果設定を行う再生信号処理手段と、を備える
音声帯域信号記録再生装置。
【発明の詳細な説明】
【０００１】
【発明の属する技術分野】
本発明は、音声帯域信号記録再生装置、音声帯域信号記録再生方法、音声帯域信号記録装置及び音声帯域信号記録方法に関する。
【０００２】
【従来の技術】
従来、ビデオカメラ装置部とビデオ信号記録再生装置部とを一体化し、このビデオカメラ装置部で撮影した映像信号及び音声帯域信号をこのビデオ信号記録再生装置部でデジタル信号化処理して記録及び／又は再生することができ、そしてこの再生した信号をアナログ信号化処理して元の映像信号及び音声帯域信号を再生できるようにした、ビデオカメラ装置部とビデオ信号記録再生装置部とを一体化した可搬型デジタルカメラレコーダ等のカメラ一体型ＶＴＲ装置（以下の説明においてはこのカメラ一体型ＶＴＲ装置をカメラ一体型ＶＴＲ装置と称する）がよく知られている。
【０００３】
しかしながらこのような記録及び／又は再生方法においては、モノラル信号を記録及び／又は再生する場合を除けば、左音声帯域信号チャンネルと右音声帯域信号チャンネルの２チャンネルの音場信号を記録し再生するのが一般的であった。
【０００４】
したがってこの音声帯域信号の記録及び／又は再生方法では、カメラ一体型ＶＴＲ装置により撮影している方向に向かって左右方向への発音源の位置の変化については明瞭に記録できるので、再生時において発音源の位置のこの左右方向の変化を再現できるが、この撮影している方向に向かって前後の方向の音場変化は再生音量の変化とでしか再生できないので、この前後の方向の音場変化が明瞭に再現できないことになり、音声帯域信号として臨場感の再現性が乏しくなる問題がある。
【０００５】
一方、既存の立体音場再生方法としてドルビーサラウンド（DOLBY SURROUND）方式、ドルビーサラウンドプロロジック（DOLBY SURROUND PRO LOGIC）方式、ドルビーデジタル（DOLBY DIGITAL ）方式及びＤＴＳ（Digital Theater Systems ）方式等の左右及び前後方向の音場を再生する立体音場（以下の説明においては立体音場と称する）再生方法或いは再生装置がよく知られるようになってきている。
【０００６】
また、立体音場を聴取することのできる音源としては、現在ホームビデオ装置での再生用に制作された既成の磁気テープカセット、ＬＤ（Laser Disc）或いはＤＶＤ（Digital Versatile Disc）等、既成メディアとして市販されているものがあり、これら既成メディアの再生装置を用意してこの立体音場を再生することにより同時に再生される画像イメージに対する臨場感を手軽に享受することができる。
【０００７】
その為もあって、カメラ一体型ＶＴＲ装置を用いた撮影に際して、立体音場再生により撮影した映像の臨場感を高めることのできる信号をその記録時に同時に収音したいとの要求がこのカメラ一体型ＶＴＲ装置の利用者の間において高まっている。
【０００８】
なお、ドルビー（DOLBY ）、ドルビーサラウンド（DOLBY SURROUND）、ドルビーサラウンドプロロジック（DOLBY SURROUND PRO LOGIC）、ドルビーデジタル（DOLBY DIGITAL ）は米国ドルビー・ラボラトリーズ・ライセンシング・コーポレーションの商標。また、ＤＴＳは米国Digital Theater Systems Inc.の商標である。
【０００９】
【発明が解決しようとする課題】
しかしながら、この立体音場を再生できることを特徴として制作された劇映画等のパッケージメディア或いはこの立体音場再生を特徴とする衛星放送メディア等は、大掛かりな立体音場制作システムを使用して制作されたものであり、現在のところこの立体音場をカメラ一体型ＶＴＲ装置により手軽に記録する手段が実現されていない。
【００１０】
また、この立体音場を収音するためには３方向以上の多方面からの音を別々のマイクにより収音する必要があり、このマイクのセッティングに高度な知識と経験を必要とし、一般の聴取者が手軽にこのセッティングをおこなうことは困難であるという不都合があった。
【００１１】
さらにまた、これらマイクの夫々で収音した信号の夫々を別々のトラックに記録しておく必要があるので、マルチチャンネル／マルチトラック記録機能を具備したレコーダが必要になり、これら収音及びその記録を行う為のシステムが非常に大掛かりなものになるため、カメラ一体型ＶＴＲ装置等の小型家庭用撮影機器ではこのようなシステムの搭載が難しく、一般の聴取者が撮影現場を立体音場として手軽に収音することができないという不都合があった。
【００１２】
さらにまた一般の聴取者が、このようにして記録されたマルチチャンネル音声帯域信号に基づいてこの記録時の音場を音響として再生するためには、これら記録されたマルチチャンネル音声帯域信号の夫々を、それらを収音した方向から別々に再生できるようにする必要があるので、アンプ、スピーカー等の音響再生システムをこのマルチチャンネル音声帯域信号を構成しているチャンネル数分だけ用意し、かつスピーカーの夫々の配置位置のセッティングを行う必要があり、再生システムが高価になりまたこのセッティングに高度な技術と経験を必要とし、手軽にどこでも誰でもがこのマルチチャンネル音声帯域信号の良さを生かして聴取することが難しいという不都合があった。
【００１３】
本発明は斯る点に鑑みてなされたもので、カメラ一体型ＶＴＲ装置及び小型家庭用音響再生機器を取り扱える程度の知識を有していれば、誰でもこの立体音場を容易に収音することができる立体音場収音装置或いは立体音場収音再生装置を提供することを目的とする。
【００１４】
【課題を解決するための手段】
本発明は、指向特性が無指向性である第１乃至第３のマイクロフォンであって、第１のマイクロフォンが、複数の方向のうち１つの方向の正面に配され、第２のマイクロフォンが第１のマイクロフォンの後方に配され、第３のマイクロフォンが第１及び第２のマイクロフォンのほぼ中間であって、第１及び第２のマイクロフォンを通る軸に対して左側に配され、第１のマイクロフォンが生成したアナログ音声信号から第１の位相遅れ成分を減じる第１の位相減算手段と、第２のマイクロフォンが生成したアナログ音声信号から第２の位相遅れ成分を減じる第２の位相減算手段と、第３のマイクロフォンが生成したアナログ音声信号から第３の位相遅れ成分を減じる第３の位相減算手段と、第１の位相減算手段が第１の位相遅れ成分を減じたアナログ音声信号に第１の乗算係数を乗じる第１の乗算手段と、第２の位相減算手段が第２の位相遅れ成分を減じたアナログ音声信号に第２の乗算係数を乗じる第２の乗算手段と、第３の位相減算手段が第３の位相遅れ成分を減じたアナログ音声信号に第３の乗算係数を乗じる第３の乗算手段と、第１のマイクロフォンが生成したアナログ音声信号から第２の乗算手段が生成したアナログ音声信号を減じて前方向の音声帯域信号を生成する第１の減算手段と、第２のマイクロフォンが生成したアナログ音声信号から第１の乗算手段が生成したアナログ音声信号を減じて後方向の音声帯域信号を生成する第２の減算手段と、第３のマイクロフォンが生成したアナログ音声信号から第２の乗算手段が生成したアナログ音声信号を減じて前方左方向の音声帯域信号を生成する第３の減算手段と、第２のマイクロフォンが生成したアナログ音声信号から第３の乗算手段が生成したアナログ音声信号を減じて後方右方向の音声帯域信号を生成する第４の減算手段と、第３のマイクロフォンが生成したアナログ音声信号から第１の乗算手段が生成したアナログ音声信号を減じて後方左方向の音声帯域信号を生成する第５の減算手段と、第１のマイクロフォンが生成したアナログ音声信号から第３の乗算手段が生成したアナログ音声信号を減じて前方右方向の音声帯域信号を生成する第６の減算手段と、前方向の音声帯域信号、前方左方向の音声帯域信号、前方右方向の音声帯域信号、後方向の音声帯域信号よりサブウーハーチャンネル信号を生成し、前方向の音声帯域信号、前方左方向の音声帯域信号、前方右方向の音声帯域信号、後方向の音声帯域信号及びサブウーハーチャンネル信号をアナログ／デジタル変換して得られたデジタル音声信号であって、映像に合わせて再生可能とする複数チャンネルのデジタル音声信号を所定の方式にエンコードし、エンコードされた複数チャンネルのデジタル音声帯域信号を多重化した音声帯域信号として記録手段に記録し、記録手段から読み出した多重化された音声帯域信号をデコードして複数チャンネルのデジタル音声信号に復元し、復元された複数チャンネルのデジタル音声信号から任意の数のチャンネルのデジタル音声信号を選択し、ミックスダウンして音場効果設定を行うことにより、立体音場信号の如く信号チャンネル数の多い信号を容易に記録できるように図ったものである。
【００２４】
【発明の実施の形態】
以下、本発明の実施の形態の一例を添付図面に基づいて説明する。
【００２５】
なお、本発明によるカメラ一体型ＶＴＲ装置の音声帯域信号でなる立体音場信号の信号処理系が「HDデジタルVCR 協議会」で標準化された家庭用デジタルビデオ規格（以下の説明ではＤＶフォーマットと称する）の２系統４チャンネルのステレオ信号処理系で構成され、この音声帯域信号を最大４チャンネルまで同時に記録し再生することができ、ドルビーサラウンド方式に相当する４チャンネル信号を記録し再生することができるように構成されているものとして以下説明する。
【００２６】
なお以下の説明においては、前左方向（以下の説明においてはＦＬ方向と称する）から収音した信号を信号ＦＬ、前右方向（以下の説明においてはＦＲ方向と称する）から収音した信号を信号ＦＲ、前方向（以下の説明においてはＦＣ方向と称する）から収音した信号を信号ＦＣで表すものとする。
【００２７】
更にまた以下の説明においては、後左方向（以下の説明においてはＲＬ方向と称する）から収音した信号を信号ＲＬ、後右方向（以下の説明においてはＲＲ方向と称する）から収音した信号を信号ＲＲ、後方向（以下の説明においてはＲＳ方向と称する）から収音した信号を信号ＲＳで表すものとする。
【００２８】
先ず図１及び図２を参照してドルビーサラウンド方式に相当する４チャンネル音声帯域信号でなる立体音場信号を記録し再生する場合を例として本発明の形態の一例を説明する。
【００２９】
１００はこの信号処理系の要部を示したブロック図で、信号処理系１００はサウンド収音用マイクロフォンの入力端子群（以下の説明では収音マイク入力端子群と称する）１、前置増幅器群２、アナログ／デジタル変換器群（以下の説明ではアナログ／デジタル変換器群をＡＤＣ群、アナログ／デジタル変換器をＡＤＣと称する）３、デジタルシグナルプロセッサＬＳＩ（以下の説明ではＤＳＰと称する）４、記録系信号処理部５、記録／再生切り換えスイッチ（以下の説明ではＲ／ＰＳＷと称する）６、記録再生装置（以下の説明ではＶＴＲと称する）７で構成されている。
【００３０】
そして更に信号処理系１００は再生系信号処理部９、デジタル／アナログ変換器群（以下の説明ではデジタル／アナログ変換器群をＤＡＣ群と称し、デジタル／アナログ変換器をＤＡＣと称する）１０，１１、ライン増幅器群１２，１３、マルチチャンネルミックス信号（以下の説明ではＭＣ信号と称する）出力端子群１４及び再生信号出力端子群１５で構成されている。
【００３１】
ＤＡＣ群１０はＤＡＣ１０Ｌ及び１０Ｒで構成され、ＤＡＣ群１１はＤＡＣ１１Ｌ、１１Ｒ、１１Ｃ及び１１Ｓで構成されている。
【００３２】
収音マイク入力端子群１はＦＬ方向からの収音信号ＦＬの入力端子１Ｌ、ＦＲ方向からの収音信号ＦＲの入力端子１Ｒ、ＦＣ方向からの収音信号ＦＣの入力端子１ＣおよびＲＳ方向からの収音信号ＲＳの入力端子１Ｓで構成されている。
【００３３】
前置増幅器群２は前置増幅器２Ｌ、２Ｒ、２Ｃ及び２Ｓで構成され、ＡＤＣ群３はＡＤＣ３Ｌ、３Ｒ、３Ｃ及び３Ｓで構成されている。
【００３４】
ライン増幅器群１２はライン増幅器１２Ｌ及び１２Ｒで構成され、ライン増幅器群１３はライン増幅器１３Ｌ、１３Ｒ、１３Ｃおよび１３Ｓで構成されている。
【００３５】
ＭＣ信号出力端子群１４は左側ＭＣ信号ＭＬの出力端子１４Ｌ及び右側ＭＣ信号ＭＲの出力端子１４Ｒで構成され、再生信号出力端子群１５はＦＬ方向の再生信号ＦＬＰの出力端子１５Ｌ、ＦＲ方向の再生信号ＦＲＰの出力端子１５Ｒ、ＦＣ方向の再生信号ＦＣＰの出力端子１５Ｃ及びＲＳ方向の再生信号ＲＳＰの出力端子１５Ｓで構成されている。
【００３６】
そしてＤＳＰ４は記録信号処理部４Ａ、マルチチャンネルミックス信号生成回路部（以下の説明においてはＭＣ信号生成部と称する）４Ｂ、再生信号処理部４Ｃで構成されている。
【００３７】
記録信号処理部４Ａはマルチチャンネル信号入力端４ｄ及び記録信号出力端４ｅを具備し、再生信号処理部４Ｃは再生系入力端４ｆとマルチチャンネル音声帯域信号出力端４ｇを具備している。
【００３８】
記録信号処理部４ＡはＡＤＣ群３からマルチチャンネル音声帯域信号入力端４ｄに供給されたマルチチャンネルデジタル音声帯域信号群をＤＶフォーマットの記録音声帯域信号にエンコードして記録信号出力端４ｅから出力するエンコーダ機能を具備し、再生信号処理部４Ｃは再生系入力端４ｆに入力したＤＶフォーマットの再生音声帯域信号をこのマルチチャンネルデジタル音声帯域信号群にデコードし、このマルチチャンネルデジタル音声帯域信号群をマルチチャンネル出力端４ｇからＤＡＣ群１１に供給するデコーダ機能を具備している。
【００３９】
そしてＭＣ信号生成部４Ｂはこのマルチチャンネルデジタル音声帯域信号群をミックスダウン処理し左音声帯域デジタル信号及び右音声帯域デジタル信号を生成し、この左音声帯域デジタル信号をＤＡＣ１０Ｌに供給し、この右音声帯域デジタル信号をＤＡＣ１０Ｒに供給する機能を具備している。
【００４０】
次にこの信号処理系１００における接続構成について説明する。
【００４１】
入力端子１Ｌが前置増幅器２Ｌの入力側に接続され、入力端子１Ｒが前置増幅器２Ｒの入力側に接続され、入力端子１Ｃが前置増幅器２Ｃの入力側に接続されそして入力端子１Ｓが前置増幅器２Ｓの入力側に接続されている。前置増幅器２Ｌの出力側がＡＤＣ３Ｌの入力側に接続され、前置増幅器２Ｒの出力側がＡＤＣ３Ｒの入力側に接続され、前置増幅器２Ｃの出力側がＡＤＣ３Ｃの入力側に接続されそして前置増幅器２Ｓの出力側がＡＤＣ３Ｓの入力側に接続されている。
【００４２】
ＡＤＣ３Ｌ，３Ｒ，３Ｃ及び３Ｓの出力側の夫々が記録信号処理部４Ａのマルチチャンネル音声帯域信号入力部４ｄに並列に接続され、記録信号処理部４Ａの記録信号出力部４ｅが記録系信号処理部５の入力側に接続され、再生系信号処理部９の４チャンネル出力側が再生信号処理部４Ｃの再生系入力端４ｆに並列に接続されている。
【００４３】
再生信号処理部４Ｃのマルチチャンネル音声帯域信号出力端４ｇからの出力がＤＳＰ４の内部バスによりＭＣ信号生成部４Ｂの入力側に接続されている。そしてこの出力端４ｇからの並列４チャンネル外部出力の内の１がＤＡＣ１１Ｌの入力側に接続され、その２がＤＡＣ１１Ｒの入力側に接続され、その３がＤＡＣ１１Ｃの入力側に接続されそしてその４がＤＡＣ１１Ｓの入力側に接続されている。またＭＣ信号生成部４Ｂの並列２チャンネル出力側の１がＤＡＣ１０Ｌの入力側に接続されそしてその２がＤＡＣ１０Ｒの入力側に接続されている。
【００４４】
ＤＡＣ１０Ｌの出力側がライン増幅器１２Ｌを介して左側ＭＣ信号出力端子１４Ｌに接続され、ＤＡＣ１０Ｒの出力側がライン増幅器１２Ｒを介して右側ＭＣ信号出力端子１４Ｒに接続されている。
【００４５】
ＤＡＣ１１Ｌの出力側がライン増幅器１３Ｌを介して再生信号ＦＬＰの出力端子１５Ｌに接続され、ＤＡＣ１１Ｒの出力側がライン増幅器１３Ｒを介して再生信号ＦＲＰの出力端子１５Ｒに接続され、ＤＡＣ１１Ｃの出力側がライン増幅器１３Ｃを介して再生信号ＦＣＰの出力端子１５Ｃに接続されそしてＤＡＣ１１Ｓの出力側がライン増幅器１３Ｓを介して再生信号ＲＳＰの出力端子１５Ｓに接続されている。
【００４６】
次に、この信号処理系１００の動作を説明する。
【００４７】
入力端子１Ｌに信号ＦＬが入力され、入力端子１Ｒに信号ＦＲが入力され、入力端子１Ｃに信号ＦＣが入力され、そして入力端子１Ｓに信号ＲＳが入力される。
【００４８】
なお入力端子１Ｓに入力する信号ＲＳの代わりにＲＬ信号及びＲＲ信号をミックスした信号をこの入力端子１Ｓに入力してもよいし、前置増幅器２Ｓ及びＡＤＣ３Ｓで構成される信号処理系統をもう１系統設け、これらＲＬ信号及びＲＲ信号の何れかをこの系統を通じて記録信号処理部４Ａに入力し、他を入力端子１Ｓに入力して記録信号処理部４Ａでミックスした信号を信号ＲＳとして使用してもよい。
【００４９】
入力端子１Ｌに入力した信号ＦＬを前置増幅器２Ｌで所定の信号レベルまで増幅しＡＤＣ３Ｌに供給してデジタル信号に変換し、入力端子１Ｒに入力した信号ＦＲを前置増幅器２Ｒで所定の信号レベルまで増幅しＡＤＣ３Ｒに供給してデジタル信号に変換し、信号入力端子１Ｃに入力した信号ＦＣを前置増幅器２Ｃで所定の信号レベルまで増幅しＡＤＣ３Ｃに供給してデジタル信号に変換しそして入力端子１Ｓに入力した信号ＲＳを前置増幅器２Ｓで所定の信号レベルまで増幅しＡＤＣ３Ｓに供給してデジタル信号に変換する。
【００５０】
なおデジタル信号とは、アナログ信号を所定周期でサンプリングし、サンプリングした信号毎にその信号レベルに応じて符号化したデータをいうものとし、以下の説明においても同様とする。
【００５１】
ＡＤＣ３Ｌの出力として得たデジタル信号ＦＬ、ＡＤＣ３Ｒの出力として得たデジタル信号ＦＲ、ＡＤＣ３Ｃの出力として得たデジタル信号ＦＣ及びＡＤＣ３Ｓの出力として得たデジタル信号ＲＳの夫々を並列に記録信号処理部４Ａの入力４ｄに供給する。
【００５２】
記録信号処理部４Ａでこのデジタル信号ＦＬをＤＶフォーマットの音声帯域デジタル信号４Ｌに変換し、このデジタル信号ＦＲをＤＶフォーマットの音声帯域デジタル信号４Ｒに変換し、このデジタル信号ＦＣをＤＶフォーマットの音声帯域デジタル信号４Ｃに変換しそしてこのデジタル信号ＲＳをＤＶフォーマットの音声帯域デジタル信号４Ｓに変換する。そしてこれら信号４Ｌ、４Ｒ、４Ｃ及び４Ｓを記録信号出力端４ｅから記録系信号処理部５に並列４チャンネルで供給する。
【００５３】
記録系信号処理部５においてこれら信号４Ｌ、４Ｒ、４Ｃ及び４ＳをＤＶフォーマットに従ったデータ信号に変換し、ＳＷ６をＲＥＣ側にしてこのデータ信号をＶＴＲ７に供給し、ＶＴＲ７において磁気記録可能な信号に変調して、回転ドラムと磁気ヘッドで構成される電気磁気変換系で磁気テープに記録する。
【００５４】
なおこの変換とは、この音声帯域デジタル信号をＤＶフォーマットの規格にならって信号多重化、シャフリング処理等を行い、カメラ一体型ＶＴＲ装置で収音と同時撮影した圧縮映像信号とのフレーミング処理等をおこなってＤＶフォーマットにならったデータ信号に変換する処理である。
【００５５】
そして磁気テープに記録されたこの信号の再生時においては、ＶＴＲ７で磁気テープから読み取られた信号を復調して得た再生データ信号をＳＷ６をＰＢ側にして再生系信号処理部９に入力する。
【００５６】
再生系信号処理部９では記録時とは逆にこの再生データ信号をＤＶフォーマットにならったデフレーミング処理、再生映像信号の伸張処理、再生音声帯域信号のデシャフリング処理及び非多重化等をおこない、ＤＶフォーマットにエンコードされている状態の４チャンネル音声帯域デジタル信号８Ｌ，８Ｒ，８Ｃ及び８Ｓに変換する。
【００５７】
これら信号８Ｌ，‥‥，８Ｓを再生信号処理部４Ｃの再生系入力端４ｆに並列に入力し、再生信号処理部４Ｃにおいてこの信号８Ｌを音声帯域デジタル信号に、この信号８Ｒを音声帯域デジタル信号に、この信号８Ｃを音声帯域デジタル信号にそしてこの信号８Ｓを音声帯域デジタル信号にデコードする。
【００５８】
この信号８Ｌを音声帯域デジタル信号にデコードした信号をＤＡＣ１１Ｌに入力し、この信号８Ｒを音声帯域デジタル信号にデコードした信号をＤＡＣ１１Ｒに入力し、この信号８Ｃを音声帯域デジタル信号にデコードした信号をＤＡＣ１１Ｃに入力しそしてこの信号８Ｓを音声帯域デジタル信号にデコードした信号をＤＡＣ１１Ｓに入力してこれら信号の夫々をアナログ信号に変換する。
【００５９】
ＤＡＣ１１Ｌの出力をライン増幅器１３Ｌに入力して所定レベルに増幅し、ＤＡＣ１１Ｒの出力をライン増幅器１３Ｒに入力して所定レベルに増幅し、ＤＡＣ１１Ｃの出力をライン増幅器１３Ｃに入力して所定レベルに増幅しそしてＤＡＣ１１Ｓの出力をライン増幅器１３Ｓに入力して所定レベルに増幅する。
【００６０】
出力端子１５Ｌから信号ＦＬの再生信号ＦＬＰを得、出力端子１５Ｒから信号ＦＲの再生信号ＦＲＰを得、出力端子１５Ｃから信号ＦＣの再生信号ＦＣＰを得そして出力端子１５Ｓから信号ＲＳの再生信号ＲＳＰを得る。
【００６１】
そしてこれら再生信号ＦＬＰ及びＲＳＰと同様にして、ＦＲ方向から収音した信号ＦＲの再生信号ＦＲＰが出力端子１５Ｒから得られ、ＦＣ方向から収音した信号ＦＣの再生信号ＦＣＰが出力端子１５Ｃから得られる。
【００６２】
また、これら信号８Ｌ，‥‥，８Ｓを再生信号処理部４Ｃでデコードして生成したこの４チャンネル音声帯域デジタル信号をマルチチャンネル出力端４ｇからＤＳＰ４の内部バスを通じてＭＣ信号生成部４Ｂに供給し、後に説明する如く撮影シーンや各信号の相関性に適応させたミックスダウン処理をおこない、左側チャンネルミックスデジタル信号及び右側チャンネルミックスデジタル信号を生成する。
【００６３】
そしてこの左側チャンネルミックスデジタル信号をＤＡＣ１０Ｌに供給しアナログ信号に変換し、このアナログ信号をライン増幅器１２Ｌに供給し所定信号レベルに増幅して得た左側チャンネルミックス信号ＭＬを左側ＭＣ信号出力端子１４Ｌから出力し、この右側チャンネルミックスデジタル信号をＤＡＣ１０Ｒに供給しアナログ信号に変換し、このアナログ信号をライン増幅器１２Ｒに供給して所定信号レベルに増幅して得た右側チャンネルミックス信号ＭＲを右側ＭＲ信号出力端子１４Ｒから出力する。
【００６４】
図１に示して説明した例によれば、これら収音信号ＦＬ、ＦＲ、ＦＣ及びＲＳよりなる４チャンネルの音声帯域信号をＶＴＲ７に記録することができ、そしてＶＴＲ７に記録したこれら４チャンネルの音声帯域信号の再生信号ＦＬＰ、ＦＲＰ、ＦＣＰ及び再生信号ＲＳＰを得ることができる。
【００６５】
そしてこれら再生信号は、このドルビーサラウンド方式に規定されている方向から収音した信号に相当した再生信号であり、よってドルビーサラウンド方式の立体音響機器にこれら再生信号を入力し再生してこの立体音場による臨場感を実現することができる。
【００６６】
したがって本例によればこのカメラ一体型ＶＴＲ装置等によりこの音場信号を再生し或いは記録し再生することが可能になり、このドルビーサラウンド方式による立体音場による臨場感を手軽に実現することができる。
【００６７】
また、左側ＭＣ信号出力端子１４Ｌから得られる左音声帯域信号ＭＬ及び右側ＭＣ信号出力端子１４Ｒから得られる右音声帯域信号ＭＲは、一般に普及している音声帯域信号の再生装置の２チャンネルステレオ入力に対応させ、ヘッドホン等で聴くことができ、或いはＴＶ受像機のステレオモニター入力端子に接続し、撮影した映像の再生に合わせて聴くことができるようにする。
【００６８】
次に図１に示して説明した信号処理系１００の他の実施の形態を図２に示して図１と同一の部分には同一の符号を付与して詳細な説明を省略して説明する。
【００６９】
図２は、図１に示した記録信号処理部４Ａと記録系信号処理部５を合体して構成した記録系信号処理部１６と再生信号処理部４Ｃと再生系信号処理部９を合体して構成した再生系信号処理部１７をこのＤＳＰ４に作り込み、この信号書理系１００の小型化を図った例を示したものである。
【００７０】
なお図２に示したＤＳＰ４において８Ｌ，‥‥，８Ｓは、このデコードした４チャンネル音声帯域デジタル信号群を再生系信号処理部１７からＭＣ信号生成部４Ｂに供給する内部バスを示している。
【００７１】
次に、ドルビーデジタル方式に対応したエンコーダ部、デコーダ部を組み込んだ本発明の実施の形態の一例を図３に示して図１及び図２と同一の部分には同一の符号を付与して詳細な説明を省略して説明する。
【００７２】
なお、ドルビーデジタル方式においては、収音する位置の背後から得る信号がＲＬ方向から得る信号ＲＬ及びＲＲ方向から得る信号ＲＲの２チャンネルになり、さらに低域増強のために方向性を持たないＳＷ（サブウーハー）チャンネル（０．１チャンネル相当、以下の説明においてはこのＳＷチャンネル信号を信号ＳＷと称する）が追加された信号ＦＣ、信号ＦＬ、信号ＦＲ、信号ＲＬ、信号ＲＲ及び信号ＳＷよりなる５．１チャンネルで構成されている。
【００７３】
しかしながら説明が複雑になるのを回避するために、図３に示して説明する実施の形態においては、信号ＦＬ、信号ＦＲ、信号ＦＣ及び信号ＲＳの４チャンネルでこのドルビーデジタル方式に相当する信号を構成した例で説明する。なおこの場合にこの信号ＳＷは方向性を持たない信号でよいので、これら信号ＦＬ，ＦＲ，ＦＣ及びＲＳから合成することができる。
【００７４】
図３において４はＤＳＰ、１７はドルビーデジタル方式のエンコーダ部、１８はこのドルビーデジタル方式のデコーダ部そして４ＢはＭＣ信号生成部で、そしてこれらエンコーダ部１７、デコーダ部１８及びＭＣ信号生成部４ＢのはこのＤＳＰ４で構成されている。
【００７５】
１９はビデオディスクレコーダで、このビデオディスクレコーダ１９は、撮影した映像信号及び収音した音声帯域信号を記録し再生することが可能なカメラ一体型ディスクレコーダのディスクレコーダ部で、この音声帯域信号の記録用としてこのドルビーデジタル方式による音声帯域信号を２チャンネルとして記録し再生することが可能な記録及び再生回路を具備し、この２チャンネルの音声帯域信号の記録領域を具備しているディスクを使用するディスクレコーダである。
【００７６】
次に図３に示して説明した例の動作を説明する。
【００７７】
まずＡＤＣ３Ｌ、３Ｒ、３Ｃ及び３Ｓの夫々の出力側から得られた４チャンネル音声帯域信号ＦＬ、信号ＦＲ、信号ＦＣ及び信号ＲＳの夫々をデジタル化した信号をマルチチャンネル信号入力部４ｄに供給し、ドルビーデジタル方式のエンコーダ部１７で圧縮多重化等の処理を行いドルビーデジタル方式の２チャンネル信号にエンコードする処理を行う。
【００７８】
そしてＳＷ６をＲＥＣ側にして、このドルビーデジタル方式にエンコードした２チャンネル信号を記録信号出力部４ｅからビデオディスクレコーダ１９に供給してデスク媒体の音声帯域信号の記録領域に記録する。
【００７９】
再生時にはＳＷ６をＰＢ側に切り換えて、ビデオディスクレコーダ１９でこのデスク媒体の音声帯域信号の記録領域を再生し、この記録領域に記録されているこのドルビーデジタル方式にエンコードした信号を再生し、ドルビーデジタルデコーダ部１８の再生系入力端４ｆに供給し、このドルビーデジタルデコーダ部１８で伸張非多重化等のデコード処理を行ってこの再生信号から４チャンネル音声帯域デジタル信号に復元する。
【００８０】
これら４チャンネル音声帯域デジタル信号の内の信号ＦＬ分をマルチチャンネル出力端４ｇからＤＡＣ１１Ｌに供給し、信号ＦＲ分をＤＡＣ１１Ｒに供給し、信号ＦＣ分をＤＡＣ１１Ｃに供給しそして信号ＲＳ分をＤＡＣ１１Ｓに供給してこれら信号の夫々をアナログ音声帯域の信号に変換する。
【００８１】
これらアナログ音声帯域に変換した信号の夫々の内の信号ＦＬをライン増幅器１３Ｌに供給して増幅して出力端子１５Ｌから信号ＦＬＰとして出力し、信号ＦＲをライン増幅器１３Ｒに供給して増幅して出力端子１５Ｒから信号ＦＲＰとして出力し、信号ＦＣをライン増幅器１３Ｃに供給して増幅して出力端子１５Ｃからこの信号ＦＣＰとして出力しそして信号ＲＳをライン増幅器１３Ｓに供給して増幅して出力端子１５Ｓからこの信号ＲＳＰとして出力することにより４チャンネル音声帯域信号ＦＬ、ＦＲ、ＦＣ及びＲＳを再生する。
【００８２】
また図１に示して説明した如く、左側ＭＣ信号出力端子１４Ｌ及び右側ＭＣ信号出力端子１４Ｒから得られる信号は、一般的な音声帯域信号再生装置の２チャンネルステレオ入力に対応しているためヘッドホン等で聴くことができ、ＴＶ受像機のステレオモニター端子に接続して映像画面に合わせて聴くことが可能である。
【００８３】
また図３に示して説明した例において、ビデオディスクレコーダ１９においてデスク媒体のこの２チャンネルの音声帯域信号記録領域に記録されているこの多重化された信号を再生して得られたドルビーデジタル方式の多重化信号を、直接外部に供給できる出力端子を信号処理系２００側に設けるようにしてもよい。
【００８４】
このように構成した場合には、このドルビーデジタル方式のデコーダ部を内蔵しているアンプ等の外部機器にこの出力端子を用いて直接接続でき、かつこの２チャンネルの信号ラインで接続できるので、このデコーダで処理された後の信号の出力端子数が増えることによるこの外部機器との接続作業が煩雑になる問題を回避することができる。
【００８５】
また４チャンネルの音声帯域デジタル信号の記録再生を可能にしたＤＶフォーマットの記録再生装置の音声帯域信号記録領域に、このドルビーデジタル方式で２チャンネルに多重化した音声帯域信号を記録するようにしてもよい。
【００８６】
更にまた図３に示して説明した例の如く、ドルビーデジタル方式のエンコーダ部及びデコーダ部をカメラ一体型ディスクレコーダに内蔵するようにした場合には、この立体音場の再生に必要な音声帯域信号の記録チャンネルの数が２チャンネルで済む為、図１に示して説明した例に比較して、記録に必要なチャンネル数を削減することができる。
【００８７】
またＤＶフォーマット以外の記録再生フォーマットの記録再生装置にドルビーデジタル方式のエンコーダ部及びデコーダ部を内蔵するようにした場合にも、同様にこの立体音場の再生に必要な音声帯域信号の記録に必要なチャンネル数の削減が可能になる。
【００８８】
一方、先に説明した如くドルビーデジタル方式では、記録チャンネル数及び再生チャンネル数が５．１チャンネルとなっており、リア側がＲＬ信号とＲＲ信号の２チャンネルになり、さらに低域増強のために方向性を持たない信号ＳＷが追加された方式で標準化されている。
【００８９】
よってこの標準に準拠したドルビーデジタル方式で記録再生を実現する為には、この５．１チャンネル構成の入力信号をこの信号処理系２００でドルビーデジタル方式にエンコードして記録し再生することを可能にする必要がある。
【００９０】
この為には、図３に示して説明したＲＳ信号を処理する処理回路、即ちＲＳの入力端子１Ｓ→前置増幅器２Ｓ→ＡＤＣ３Ｓ→マルチチャンネル信号入力部４ｄまでの処理回路と同様な処理回路を更に１回路設けて、信号信号ＲＬを処理する処理回路と信号ＲＲを処理する処理回路とにこの処理回路を２回路化し、これら二つの回路を通じて信号信号ＲＬと信号ＲＲを処理してエンコーダ部１７に入力してドルビーデジタル方式にエンコードするようになす。
【００９１】
そしてこの５．１チャンネル構成の信号の再生時には、このデコーダ部１８においてこの多重化信号から信号ＲＬと信号ＲＲとを復元し、ＤＡＣ１１Ｓ→ライン増幅器１３Ｓ→後センター方向再生信号出力端子１５Ｓで構成している信号処理チャンネルを信号ＲＬＰ生成用と信号ＲＬＰ生成用に２チャンネル化し、この２チャンネルの一方を通じてこのデジタル信号ＲＬを処理して信号ＲＬＰを出力し、他方を通じてこのデジタル信号ＲＲを処理して信号ＲＲＰを出力するようにするようになす。
【００９２】
なおこの信号ＳＷは方向性を持たないので、ドルビーデジタル方式のエンコーダ部１７においてマルチチャンネル信号入力部４ｄに入力される全信号からこの信号ＳＷを合成しエンコードして記録／再生し、このデコーダ部１８においてこの再生信号からこの合成した信号をデコードし、ＤＡＣ１１Ｓ→ライン増幅器１３Ｓ→後センター方向再生信号出力端子１５Ｓと同様に構成している信号処理チャンネルで処理して信号ＳＷの再生信号を得るようになす。
【００９３】
次に、ドルビーデジタル方式のマルチチャンネル音声帯域信号の記録再生に対応するようにした本発明の実施の形態の他の一例を図４に示して図１，２及び３と同一の部分には同一の符号を付与して詳細な説明を省略して説明する。
【００９４】
図４において３００は信号処理系を示し、信号処理系３００はドルビーデジタル方式のエンコーダ部２０Ａ、ドルビーデジタル方式のデコーダ部２０ＢをＤＳＰ２１とは別に構成した例を示したものである。
【００９５】
そして、信号ＦＬ、ＦＲ、ＦＣ、ＲＬ及びＲＲよりなる５チャンネルの信号の夫々を前置増幅器群２により所定レベルに増幅し、ＡＤＣ群３に供給してデジタル音声帯域信号に変換して後記録系信号処理部２１Ａに供給し、これら信号に基づいて方向性を持たない信号ＳＷを合成し、これら信号ＦＬ、ＦＲ、ＦＣ、ＲＬ及びＲＲ並びにＳＷよりなるデジタル信号の夫々をドルビーデジタル方式のエンコーダ部２０Ａに並列に供給してドルビーデジタル方式の多重化信号にエンコードする。
【００９６】
そして、ＳＷ２１をＲＥＣ側にして、このエンコーダ部２０Ａからビデオディスクレコーダ１９にこのドルビーデジタル方式エンコードした重化信号を供給し、ビデオディスクレコーダ１９のデスク媒体の音声帯域信号記録領域に記録する。
【００９７】
また再生時は、ＳＷ２１をＰＢ側に切り換えてビデオディスクレコーダ１９のこのデスク媒体の音声帯域信号記録領域に記録されているこの多重化信号を再生してドルビーデジタル方式のデコーダ部２０Ｂに供給してこの再生信号をこれら信号ＦＬ、ＦＲ、ＦＣ、ＲＬ及びＲＲ並びにＳＷよりなるマルチチャンネル音声帯域デジタル信号にデコードし、これらマルチチャンネル音声帯域デジタル信号を信号再生処理２１Ｂの再生系入力端４ｆに並列に供給して、このマルチチャンネル音声帯域デジタル信号からデジタル信号ＦＬ、ＦＲ、ＦＣ、ＲＬ、ＲＲ及びＳＷを得る。
【００９８】
そして之等デジタル音声帯域信号の夫々をＤＡＣ群１１中の対応するＤＡＣに供給してアナログ信号ＦＬ、ＦＲ、ＦＣ、ＲＬ、ＲＲ及びＳＷに変換し、これら変換した信号をライン増幅器群１３中の対応するライン増幅器に供給して所定レベルに増幅して、再生信号出力端子群１５の対応する出力端子から再生信号ＦＬ、ＦＲ、ＦＣ、ＲＬ、ＲＲ及びＳＷの出力を得るようになす。
【００９９】
図４に示して説明した例によれば、このエンコーダ部２０Ａ及びこのデコーダ部２０ＢをＤＳＰ２１とは別体に構成したので、これらエンコーダ部及びデコーダ部を他の方式のエンコーダ及びデコーダに容易に交換することができる。一例として、これらエンコーダ部及びデコーダ部をドルビーサラウンド方式のものに代えれば、２チャンネルの音声帯域信号の記録再生帯域を具備した記録再生装置、例えばビデオディスク装置のこの音声帯域信号の記録領域において、このドルビーサラウンド方式に対応した記録再生が可能になる。
【０１００】
また、ビデオデイスクレコーダ１９の音声帯域信号の記録領域にこのドルビーデジタル方式で記録されている信号を再生して得たこのドルビーデジタル方式の信号を、直接外部に供給できる出力端子を信号処理２０Ｂに設け、このドルビーデジタル方式のデコーダ部を内蔵している機器に直接接続できるようにしてもよい。
【０１０１】
次に、収音地点においてＦＬ方向からの収音信号ＦＬ、ＦＲ方向からの収音信号ＦＲ、ＦＣ方向からの収音信号ＦＣ、ＲＳ方向からの収音信号ＲＳ、ＲＬ方向からの収音信号ＲＬ及びＲＲ方向からの収音信号ＲＲを得るようにしたマイクロフォン装置の配置及びこのマイクロフォン装置からの収音信号を合成する信号合成部の実施の形態の一例を図５に示して図１〜図４と同一の部分には同一の符号を付与して詳細な説明を省略して説明する。
【０１０２】
図５に示した例においては、マイクロフォン装置を第１のマイクロフォン部２３Ａ、第２のマイクロフォン部２３Ｂ及び第３のマイクロフォン部２３Ｃで構成している。またこれらマイクロフォン部２３Ａ，２３Ｂ及び２３Ｃの夫々は無指向性の特性を具備している。
【０１０３】
そして図５Ａに示した如く、矢印２５Ｂで示したＦＬ方向、矢印２５Ｃで示したＦＣ方向及び矢印２５Ｄで示したＦＲ方向の交点２５Ｅにマイクロフォン部２３Ａを配設し、交点２５Ｅから矢印２５Ｆで示した矢印２５Ｄで示した方向とは反対方向であるＲＬ方向にこの交点から第１の所定の距離を置いた位置２５Ｇに第２のマイクロフォン部２３Ｂを配設し、そしてこの交点２５Ｅから矢印２５Ｂで示した方向とは反対方向である矢印２５Ｈで示したＲＲ方向にこの第１の距離と同一の第２の距離を置いた位置２５Ｋに第３のマイクロフォン部２３Ｃを配設する。
【０１０４】
即ちこの交点２５Ｅ、位置２５Ｇ及び位置２５Ｋが交点２５Ｅを頂点とした二等辺三角形を成す状態で第１のマイクロフォン部２３Ａ、第２のマイクロフォン部２３Ｂ及び第３のマイクロフォン部２３Ｃを配置する。
【０１０５】
次に、図５Ｂに示した回路ブロック図を参照して図５Ａと同一の部分には同一符号を付与して詳細な説明を省略してこれら第１のマイクロフォン部２３Ａ、第２のマイクロフォン部２３Ｂ及び第３のマイクロフォン部２３Ｃよりなるマイクロフォン装置で収音した信号に基づいてＦＬ方向からの収音信号ＦＬ、ＦＣ方向からの収音信号ＦＣ、ＦＲ方向からの収音信号ＦＲ、ＲＬ方向からの収音信号ＲＬ、ＲＳ方向からの収音信号ＲＳ及びＲＲ方向からの収音信号ＲＲを得るための回路構成及びその動作について説明する。
【０１０６】
図５Ｂにおいて、２８Ａ，Ｂ，Ｃ，Ｄ，Ｅ，Ｆ及びＧの夫々は加算器、２９Ａ，Ｂ，Ｃ及びＤの夫々は位相器、３０Ａ，Ｂ，Ｃ及びＤの夫々は乗算器、３２は１／２割算器で、これら位相器２９Ａ，Ｂ，Ｃ及びＤは夫々が位相遅れφを有する位相器、これら乗算器３０Ａ，Ｂ，Ｃ及びＤは夫々が乗算係数αを有する乗算器で構成されている。
【０１０７】
そして３１Ａ，Ｂ，Ｃ，Ｄ，Ｅ及びＦは出力端子で、３１Ａはこの信号ＦＲの出力端子、３１Ｂはこの信号ＲＬの出力端子、３１Ｃはこの信号ＦＣの出力端子、３１Ｄはこの信号ＲＳの出力端子、３１Ｅはこの信号ＦＬの出力端子そして３１Ｆはこの信号ＲＲの出力端子である。
【０１０８】
第２のマイクロフォン部２３Ｂの信号出力側が位相器２９Ａの入力側、加算器２８Ｄの＋入力側及び加算器２８Ａの＋入力側に接続され、第１のマイクロフォン部２３Ａの信号出力側が位相器２９Ｃの入力側、加算器２８Ｃの＋入力側、加算器２８Ｅの＋入力側及び加算器２８Ｇの＋入力側に接続され、第３のマイクロフォン部２３Ｃの信号出力側が加算器２８Ａの他の＋入力側、位相器２９Ｄの入力側及び加算器２８Ｂの＋入力側に接続されている。
【０１０９】
位相器２９Ａの出力側が乗算器３０Ａを通じて加算器２８Ｃの−入力側に接続され、加算器２８Ａの出力側が１／２割算器３２を通じて加算器２８Ｆの＋入力側及び位相器２９Ｂの入力側に接続され、位相器２９Ｂの出力側が乗算器３０Ｂを通じて加算器２８Ｅの−入力側に接続され、位相器２９Ｃの出力側が乗算器３０Ｃを通じて加算器２８Ｆの−入力側及び加算器２８Ｄの−入力側並びに加算器２８Ｂの−入力側に接続されている。
【０１１０】
位相器２９Ｄの出力側が乗算器３０Ｄを通じて加算器２８Ｇの−入力側に接続され、加算器２８Ｃの出力側が出力端子３１Ａに接続され、加算器２８Ｄの加算出力側が出力端子３１Ｂに接続され、加算器２８Ｅの加算出力側が出力端子３１Ｃに接続され、加算器２８Ｆの出力側が出力端子３１Ｄに接続され、加算器２８Ｇの出力側が出力端子３１Ｅに接続され、そして加算器２８Ｂの出力側が出力端子３１Ｆに接続されている。
【０１１１】
よって、第２のマイクロフォン部２３Ｂから出力される信号をＬ、第１のマイクロフォン部２３Ａから出力される信号をＣ、そして第３のマイクロフォン部２３Ｃから出力される信号をＲで表すと、出力端子３１Ａからは次に式（１）で表した如くこの収音信号ＦＲが得られ、出力端子３１Ｂからは次に式（２）で示した如くこの収音信号ＲＬが得られ、出力端子３１Ｃからは次に式（３）で示したごとくこの収音信号ＦＣが得られる。
【０１１２】
そして出力端子３１Ｄからは次に式（４）で示した如くこの収音信号ＲＳが得られ、出力端子３１Ｅからは次に式（５）で示した如くこの収音信号ＦＬが得られ、出力端子３１Ｆからは次に式（６）で示した如くにこの収音信号ＲＲが得られる。
【０１１３】
ＦＲ＝Ｃ−α（Ｌ−φ）・・・・・・・・・・・（１）
ＲＬ＝Ｒ−α（Ｃ−φ）・・・・・・・・・・・（２）
ＦＣ＝Ｃ−α（（Ｌ＋Ｒ）／２−φ）・・・・・（３）
ＲＳ＝（Ｌ＋Ｒ）／２−α（Ｃ−φ）・・・・・（４）
ＦＬ＝Ｃ−α（Ｒ−φ）・・・・・・・・・・・（５）
ＲＲ＝Ｌ−α（Ｃ−φ）・・・・・・・・・・・（６）
【０１１４】
なおαは各位相器出力の周波数特性をフラットに補正するための乗算係数、φはこれら第１のマイクロフォン部２３Ａ、第２のマイクロフォン部２３Ｂ及び第３のマイクロフォン部２３Ｃ間の物理的距離間隔に起因して生じる各収音信号の間の位相遅れ成分を表し、位相器２９Ａ，‥‥，２９Ｄの夫々はこの位相遅れ成分を補正する為に設けた位相器である。
【０１１５】
また、これら出力端子３１Ａ，Ｂ，Ｃ，Ｄ，Ｅ及びＦの夫々から得られる出力信号の夫々の指向特性パターンは、これらＦＲ方向，‥‥，ＲＲ方向の夫々の方向に向かって１次音圧傾斜（カージオイド）特性を示す。
【０１１６】
さらにまた、図５Ａ示したマイクロフォン装置２３を構成する第１のマイクロフォン部２３Ａ、第２のマイクロフォン部２３Ｂ及び第３のマイクロフォン部２３Ｃのこの三角形の配置関係を図５Ａでみて上下に反転した状態になるようにこれら各マイクロフォン部を配置しても、出力端子３１Ａ，Ｂ，Ｃ，Ｄ，Ｅ及びＦの夫々からこれらマイクロフォン部を図５Ａに示した如くに配置した場合と同様な出力信号を得ることができる。
【０１１７】
次に、図５Ａに示して説明したマイクロフォン装置を構成する第１のマイクロフォン部２３Ａ、第２のマイクロフォン部２３Ｂ及び第３のマイクロフォン部２３Ｃの夫々の配置を変更した他の実施の形態を図６に示して図５と同一の部分には同一の符号を付与して詳細な説明を省略して説明する。
【０１１８】
本例においては、図６Ａに矢印２５Ｃで示したＦＣ方向及びこの矢印２５Ｃで示した方向とは反対方向である矢印２５Ｌで示したＲＳ方向を結んだ線上において第１のマイクロフォン部２３Ａをこの矢印２５Ｌ方向で示したＲＳ方向に向けた状態で配設し、第３のマイクロフォン部２３Ｃを矢印２５Ｃで示したＦＣ方向に向けた状態でこの第１のマイクロフォン部２３Ａと所定の間隔をおいてこの線上に配設する。
【０１１９】
そして第１のマイクロフォン部２３Ａのこの配設位置からＦＬ方向となる矢印２５Ｂで示した方向と第３のマイクロフォン部２３Ｃのこの配設位置からＲＬ方向となる矢印２５Ｆで示した方向が交わる点に第２のマイクロフォン部２３Ｂを配設する。
【０１２０】
また図６Ａにおいては、矢印２５Ｆで示した方向と反対の方向となる矢印２５Ｄで示した方向がＦＲ方向、矢印２５Ｂで示した方向と反対の方向となる矢印２５Ｈで示した方向がＲＲ方向となる方向である。
【０１２１】
次に図６Ａに示した如く配設した第１のマイクロフォン部２３Ａ、第２のマイクロフォン部２３Ｂ及び第３のマイクロフォン部２３Ｃの夫々からの収音信号出力に基づいてこれらＲＲ方向、ＦＬ方向、ＲＬ方向、ＦＲ方向、ＲＳ方向及びＦＣ方向の夫々からの収音信号を得るための回路の形態の一例を図６Ｂに示して図５と同一の部分には同一の符号を付与して詳細な説明を省略して説明する。
【０１２２】
図６Ｂにおいて、３５Ａ，Ｂ，Ｃ，Ｄ，Ｅ及びＦの夫々は加算器、３６Ａ，Ｂ及びＣの夫々は位相器、３７Ａ，Ｂ及びＣの夫々は乗算器で、これら位相器３６Ａ，Ｂ及びＣの夫々は位相遅れφを有する位相器、これら乗算器３７Ａ，Ｂ及びＣの夫々は乗算係数αを有する乗算器で構成されている。
【０１２３】
３９Ａ，Ｂ，Ｃ，Ｄ，Ｅ及びＦの夫々は出力端子で、出力端子３９ＡはＲＲ方向から収音した信号の出力端子、出力端子３９ＢはＦＬ方向から収音した信号の出力端子、出力端子３９ＣはＲＬ方向から収音した信号の出力端子、出力端子３９ＤはＦＲ方向から収音した信号の出力端子、出力端子３９ＥはＲＳ方向から収音した信号の出力端子、そして出力端子３９ＦはＦＣ方向から収音した信号の出力端子である。
【０１２４】
第２のマイクロフォン部２３Ｂの信号出力側が位相器３６Ａの入力側、加算器３５Ｃの＋入力側及び加算器３５Ｂの＋入力側に接続され、第１のマイクロフォン部２３Ａの信号出力側が位相器３６Ｂの入力側、加算器３５Ｄの＋入力側及び加算器３５Ｆの＋入力側に接続され、第３のマイクロフォン部２３Ｃの信号出力側が加算器３５Ａの他の＋入力側、位相器３６Ｃの入力側及び加算器３５Ｅの＋入力側に接続されている。
【０１２５】
位相器３６Ａの出力側が乗算器３７Ａを通じて加算器３５Ｄの−入力側及び加算器３５Ａの−入力側に接続され、位相器３６Ｂの出力側が乗算器３７Ｂを通じて加算器３５Ｃ及び加算器３５Ｅの夫々の−入力側に接続され、位相器３６Ｃの出力側が乗算器３７Ｃを通じて加算器３５Ｂ及び加算器３５Ｆの夫々の−入力側に接続されている。
【０１２６】
加算器３５Ｄの出力側が出力端子３９Ａに接続され、加算器３５Ｃの出力側が出力端子３９Ｂに接続され、加算器３５Ｂの出力側が出力端子３９Ｃに接続され、加算器３５Ａの出力側が出力端子３９Ｄに接続され、加算器３５Ｆの出力側が出力端子３９Ｅに接続され、そして加算器３５Ｅの出力側が出力端子３９Ｆに接続されている。
【０１２７】
よって、第２のマイクロフォン部２３Ｂから出力される信号をＬ、第１のマイクロフォン部２３Ａから出力される信号をＣｒそして第３のマイクロフォン部２３Ｃから出力される信号をＣｆで表すと、出力端子３９Ａからは次に式（１２）で表した如くこのＲＲ方向からの収音信号が得られ、出力端子３９Ｂからは次に式（１１）で示した如くこのＦＬ方向からの収音信号が得られ、出力端子３９Ｃからは次に式（８）で示したごとくこのＲＬ方向からの収音信号が得られる。
【０１２８】
そして出力端子３９Ｄからは次に式（７）で示した如くこのＦＲ方向からの収音信号が得られ、出力端子３９Ｅからは次に式（１０）で示した如くこのＲＳ方向からの収音信号が得られ、出力端子３９Ｆからは次に式（９）で示した如くこのＦＣ方向からの収音信号が得られる。
【０１２９】
ＦＲ＝Ｃｆ−α（Ｌ−φ）・・・・・・・・・・・  （７）
ＲＬ＝Ｌ−α（Ｃｆ−φ）・・・・・・・・・・・  （８）
ＦＣ＝Ｃｆ−α（Ｃｒ−φ）・・・・・・・・・・  （９）
ＲＳ＝Ｃｒ−α（Ｃｆ−φ）・・・・・・・・・・（１０）
ＦＬ＝Ｌ−α（Ｃｒ−φ）・・・・・・・・・・・（１１）
ＲＲ＝Ｃｒ−α（Ｌ−φ）・・・・・・・・・・・（１２）
【０１３０】
また、これら出力端子３９Ａ，Ｂ，Ｃ，Ｄ，Ｅ及びＦの夫々から得られる出力信号の夫々の指向特性パターンは、これらＦＲ方向，‥‥，ＲＲ方向の夫々の方向に向かって１次音圧傾斜（カージオイド）特性を示す。
【０１３１】
さらにまた、図６Ａに示したマイクロフォン装置を構成する第１のマイクロフォン部２３Ａ、第２のマイクロフォン部２３Ｂ及び第３のマイクロフォン部２３Ｃのこの三角形の配置関係を、図６ＡでみてＦＣ方向とＲＳ方向を結んだ線を挟んで左右に反転した状態になるようにこれら各マイクロフォン部を配置した場合でも、図６Ａに示した如くにこれらマイクロフォン部を配置した場合と同様な出力信号を、出力端子３９Ａ，Ｂ，Ｃ，Ｄ，Ｅ及びＦの夫々から得ることができる。
【０１３２】
次に、第１のマイクロフォン部及び第３のマイクロフォン部として単一指向性マイクロフォンを使用し、第２のマイクロフォン部として双指向性マイクロフォンを使用してこれら収音信号ＦＬ、ＦＲ、ＦＣ、ＲＳ、ＲＬ及びＲＲを得るようにした本発明の他の実施の形態を図７に示して図５，６と同一の部分には同一の符号を付与して詳細な説明を省略して説明する。
【０１３３】
図７Ａにおいて４０Ａは単一指向性の特性を具備した第１のマイクロフォン部、４０Ｂは双指向性の特性を具備した第２のマイクロフォン部、そして４０Ｃは単一指向性の特性を具備した第３のマイクロフォン部である。
【０１３４】
そして図７Ａに示した如く第２のマイクロフォン部を配設した位置を収音地点２５Ａとし、この収音地点２５Ａから矢印２５Ｃで示したＦＣ方向に向かって所定の間隔をおいて第１のマイクロフォン部４０Ａを配設し、そしてこの収音地点２５Ａから矢印２５Ｌで示したＲＳ方向に向かってこの所定の間隔をおいて第３のマイクロフォン部４０Ｃを配設する。
【０１３５】
またこの配設の際には、第２のマイクロフォン部４０Ｂのこの双指向性を示す方向をこれらＦＣ方向及びＲＳ方向の夫々に対して直交した方向になるように配設し、第１のマイクロフォン部４０Ａのこの単一指向性を示す方向をこのＦＣ方向に向けて配設し、そして第３のマイクロフォン部４０Ｃのこの単一指向性を示す方向をこのＲＳ方向に向けて配設する。
【０１３６】
マイクロフォン部４０Ａ，４０Ｂ及び４０Ｃをこのように配設することにより、マイクロフォン部４０ＡをＦＣ方向に指向性を持たせた状態で収音することができ、これらマイクロフォン部４０Ａ及び４０Ｂからの出力信号を加算，減算することにより矢印２５Ｂで示したＦＬ方向及び矢印２５Ｄで示したＦＲ方向の双方に指向性を持たせた状態で収音することができる。
【０１３７】
そしてマイクロフォン部４０Ｃを矢印２５Ｌで示したＲＳ方向に指向性を持たせた状態で収音することができ、これらマイクロフォン部４０Ｃ及び４０Ｂからの出力信号を加算，減算することによりこれら矢印２５Ｆで示したＲＬ方向及び矢印２５Ｈで示したＲＲ方向の双方に指向性を持たせた状態で収音することができる。
【０１３８】
次に、図７Ａに示して説明した状態で配設した第１のマイクロフォン部４０Ａ、第２のマイクロフォン部４０Ｂ及び第３のマイクロフォン部４０Ｃの夫々からの信号出力に基づいてこれらＦＣ方向、ＦＬ方向、ＦＲ方向、ＲＬ方向、ＲＲ方向及びＲＳ方向の夫々からの収音信号を得るための回路の形態を図７Ｂに示して図５、図６及び図７Ａと同一の部分には同一の符号を付与して詳細な説明を省略して説明する。
【０１３９】
図７Ｂにおいて、４１Ａ，Ｂ，Ｃ及びＤの夫々は加算器、４２Ａ，Ｂ及びＣの夫々は乗算器で、乗算器４２Ａは乗算係数αを有する乗算器、乗算器４２Ｂは乗算係数βを有する乗算器そして乗算器４２Ｃは乗算係数γを有する乗算器で構成されている。なおこれら乗算係数α、β及びγは、これら係数を変更することによりこれらマイクロフォン部の夫々から得られる出力信号のレベルを調整し、例えばこれら出力信号間の信号レベルを可変調整するための乗算係数である。
【０１４０】
４３Ａ，Ｂ，Ｃ，Ｄ，Ｅ及びＦの夫々は出力端子で、出力端子４３ＡはこのＦＣ方向から収音した信号の出力端子、出力端子４３ＢはこのＦＬ方向から収音した信号の出力端子、出力端子４３ＣはこのＦＲ方向から収音した信号の出力端子、出力端子４３ＤはこのＲＬ方向から収音した信号の出力端子、出力端子４３ＥはこのＲＲ方向から収音した信号の出力端子そして出力端子４３ＦはこのＲＳ方向から収音した信号の出力端子である。
【０１４１】
第２のマイクロフォン部４０Ｂの信号出力側が乗算器４２Ｂを通じて加算器４１Ａの＋入力側、加算器４１Ｂの＋入力側、加算器４１Ｃの−入力側及び加算器４１Ｄの−入力側の夫々に接続され、第１のマイクロフォン部４０Ａの信号出力側が乗算器４２Ａを通じて加算器４１Ａの他の＋入力側、加算器４１Ｃの＋入力側及び出力端子４３Ａに接続され、第３のマイクロフォン部４０Ｃの信号出力側が乗算器４２Ｃを通じて加算器４１Ｂの他の＋入力側、加算器４１Ｄの＋入力側及び出力端子４３Ｆに接続される。
【０１４２】
そして、加算器４１Ａの出力側が出力端子４３Ｂに接続され、加算器４１Ｃの出力側が出力端子４３Ｃに接続され、加算器４１Ｂの出力側が出力端子４３Ｄに接続され、加算器４１Ｄの出力側が出力端子４３Ｅに接続される。
【０１４３】
よって、第１のマイクロフォン部４０Ａから出力される信号をＣｆ、第２のマイクロフォン部４０Ｂから出力される信号をＣそして第３のマイクロフォン部４０Ｃから出力される信号をＣｒで表すと、出力端子４３Ａからは、式（１３）で表した如くこのＦＣ方向からの収音信号ＦＣが得られ、出力端子４３Ｂからは、式（１４）で示した如くこのＦＬ方向からの収音信号ＦＬが得られ、出力端子４３Ｃからは、式（１５）で示したごとくこのＦＲ方向からの収音信号ＦＲが得られる。
【０１４４】
そして出力端子４３Ｄからは、式（１６）で示した如くこのＲＬ方向からの収音信号ＲＬが得られ、出力端子４３Ｅからは、式（１７）で示した如くこのＲＲ方向からの収音信号ＲＲが得られ、そして出力端子４３Ｆからは、式（１８）で示した如くこのＲＳ方向からの収音信号ＲＳが得られる。
【０１４５】
ＦＣ＝αＣｆ・・・・・・・・（１３）
ＦＬ＝αＣｆ＋βＣ・・・・・（１４）
ＦＲ＝αＣｆ−βＣ・・・・・（１５）
ＲＬ＝γＣｒ＋βＣ・・・・・（１６）
ＲＲ＝γＣｒ−βＣ・・・・・（１７）
ＲＳ＝γＣｒ・・・・・・・・（１８）
【０１４６】
また図７Ａ，Ｂに示した実施の形態においては、これら制御係数α、β及びγの夫々を可変することで、これらＦＬ方向とＦＲ方向との間の指向角を変えることができ、これらＲＬ方向とＲＲ方向との間の指向角を変えることができる。
【０１４７】
すなわち、これら制御係数α及びβの夫々を可変することにより、ＦＣ方向に対する単一指向特性を有するマイクロフォン部４０Ａの出力と、この単一指向特性の方向と直交する方向に双指向特性を有するマイクロフォン部４０Ｂの出力との加算器４１Ａにおける加算ミキシング比及び加算器４１Ｃにおける減算ミキシング比を変更して、これらＦＬ方向とＦＲ方向との間の指向角を変更することができる。
【０１４８】
そしてこれら制御係数β及びγの夫々を可変することによりＲＣ方向に対する単一指向特性を有するマイクロフォン部４０Ｃの出力と、この単一指向特性の方向と直交する方向に双指向特性を有するマイクロフォン部４０Ｂの出力との加算器４１Ｂにおける加算ミキシング比及び加算器４１Ｄにおける減算ミキシング比を変更して、これらＦＬ方向とＦＲ方向との間の指向角を変更することができる。
【０１４９】
即ち本例によれば、レベル制御係数α、β及びγの夫々を可変することにより、ＦＬ方向とＦＲ方向の成す指向角及びＲＬ方向とＲＲ方向の成す指向角を自由に設定することができる。
【０１５０】
図５〜図７に示して説明したマイクロフォンの配列方法ならびにこれらマイクロフォンから得られた信号の合成回路によれば、これら６方向からの収音信号を３本のマイクロフォンにより生成することができるので、マイクロフォンの設置位置に煩わされる問題を解決することができ、したがってドルビーサラウンド、ドルビーサラウンドプロロジック、ドルビーデジタル、このＤＴＳ等の方式と組み合わせることにより、カメラ一体型ＶＴＲ装置を操作できる程度の知識があれば極めて容易に立体音場再生を実現できる。
【０１５１】
また、これらマイクロフォン装置を構成する第１のマイクロフォン部２３Ａ，４０Ａ、第２のマイクロフォン部２３Ｂ，４０Ｂ及び第３のマイクロフォン部２３Ｃ，４０Ｃを図５，６及び７に示して説明した如き配置関係に配設するには、これらマイクロフォン部の夫々をマイクロフォンフォルダーに対してこの配置関係になるように装着した状態とし、このマイクロフォンフォルダーを三脚を用いて収音地点２５Ａに配設するようにする。
【０１５２】
あるいは之等マイクロフォン部の夫々を超小型のマイクロフォンユニットを用いて構成し、このように構成したマイクロフォン部の夫々をマイクロフォンフォルダーに対してこの配置関係になるように装着した状態とし、このマイクロフォンフォルダーをカメラ一体型ＶＴＲ装置に着脱自在に取付けるようにしてもよい。
【０１５３】
あるいはまた、之等マイクロフォン部の夫々をカメラ一体型ＶＴＲ装置に一体化する場合は、一例として、このカメラ一体型ＶＴＲ装置の筐体の上面に取付けるようにして、これらマイクロフォン部の前後左右の取付けスペースを確保するように構成してもよい。
【０１５４】
また本例はこのカメラ一体型ＶＴＲ装置に限らず撮影と収音を同時に実行することのできる撮影装置であれば全ての装置に本例を適用することができる。
【０１５５】
また本例においてはＭＣ信号生成部４Ｂを設けて、再生信号処理部４Ｃから出力するマルチチャンネル音声帯域デジタル信号をＭＣ信号生成部４Ｂに供給し、このＭＣ信号生成部４Ｂにおいてこれらマルチチャンネル音声帯域デジタル信号のなかから任意の信号を任意の割合でミックスダウンして左音声帯域信号ＭＬ及び右音声帯域信号ＭＲを生成できるようにしている。
【０１５６】
したがって、このＭＣ信号生成部４Ｂを設けたことにより、マルチチャンネル音声帯域信号を任意のミックス比で左音声帯域信号ＭＬ信号と右音声帯域信号ＭＲに振り分けることが可能になるので、カメラ一体型ＶＴＲ装置で撮影する場合の撮影シーンの違いに合わせて最適な音場効果の設定が可能になり、一般的に普及している２チャンネルステレオ再生装置においても最適な音場効果をもった音声帯域信号の再生が可能になる。
【０１５７】
次に、この音響効果設定の例をあげて説明する。
【０１５８】
この音場効果設定の第１の例として、通常はＦＬ方向から収音した信号を左側ＭＣ信号出力端子１４Ｌに、ＦＲ方向から収音した信号を右側ＭＣ信号出力端子１４Ｒに出力しておき、画面の中央に人物を位置させた人物撮影モード（ポートレートモード）で撮影したシーンでは、ＦＣ方向から収音した信号を左側ＭＣ信号出力端子１４Ｌと右側ＭＣ信号出力端子１４Ｒにミックスして出力して、画面の中央に人物が位置することを強調する音響効果を出すことができる。
【０１５９】
また風景撮影（遠景）モードで撮影したシーンではＦＬ方向から収音した信号とＲＳ方向から収音した信号をミックスし左側ＭＣ信号出力端子１４Ｌに出力し、ＦＲ方向から収音した信号にＲＳ方向から収音した信号を逆相でミックスし右側ＭＣ信号出力端子１４Ｒに出力して擬似的に広がり効果をもたせて再生した映像に対する臨場感を高めることができる。
【０１６０】
また撮影者が撮影中にナレーションを入れたような場合には、通常撮影者は後方に位置するため、ＲＳ方向から収音した信号をＦＬ方向から収音した信号にミックスして左側ＭＣ信号出力端子１４Ｌから出力し、ＲＳ方向から収音した信号をＦＲ方向から収音した信号にミックスして右側ＭＣ信号出力端子１４Ｒから出力してこの撮影者が撮影中にナレーションを入れたことを効果的に演出することができる。またこれらの操作は記録時におこなっても良い。
【０１６１】
この音場効果設定の第２の例として、ＦＣ方向からの収音とＲＳ方向からの収音の相関性をチェックし、これら収音した信号の相互の間で非常に相関性がある場合、即ちこの間に同レベル同位相の信号が多い場合には前後の方向性を持つ音（一例として前後方向に上空を飛行機が通過する場合）と考えられるためにＦＬ方向の収音及びＦＲ方向の収音にＲＳ方向の収音をミックスすることにより音響的に迫力感を出すようにすることができる。逆にこの相関性が低い場合には撮影には不要な音と判断し、ＲＳ方向の収音のこのミックス比を下げるようになすことができる。
【０１６２】
この音場効果設定の第３の例として、ＦＬ方向からの収音とＦＲ方向からの収音の相関性をチェックし、非常に相関性がある、つまり同レベル同位相の信号が多い場合にはセンター方向からの音が入力していると考えられるためＦＣ方向からの収音をＦＬ方向からの収音及びＦＲ方向からの収音にミックスするようにすることができる。逆にこの相関性が低い場合には臨場感を上げるためにこのミックス比を下げるようにすることができる。
【０１６３】
この音場効果設定の第４の例として、これら音場効果設定のこの第２の例及び音場効果設定のこの第３の例を連動させて制御するようになすことができる。
【０１６４】
この音場効果設定の第５の例として、撮影時のズーミング操作に連動させて適応的にこれらミックス比を可変するようにすることができる。一例として、このズーミング操作を最望遠側としたときにはＦＬ方向及びＦＲ方向からの収音の夫々に対するＦＣ方向から収音のミックス比をあげ、逆にこの操作を最広角側としたときにはこのミックス比を下げるように制御することができる。
【０１６５】
本発明の実施の形態によれば、ドルビーサラウンド、ドルビーサラウンドプロロジック、ドルビーデジタル等の方式による立体音場を再現するために必要とする音声帯域信号チャンネル数の信号を、このチャンネル数よりも少ないチャンネル数で記録再生できるので、ＤＶフォーマットのカメラ一体型ＶＴＲ装置やデジタルバーサタイルディスク等、音声帯域信号の記録チャンネル数が２〜４チャンネル程度の映像信号記録再生装置を用いてこの立体音場を再現するために必要とする音声帯域信号情報を記録し再生し或いは記録再生することができる。
【０１６６】
また本発明の実施の形態によれば、この立体音場を再現するために必要とする収音方向の数よりも少ないマイクロフォン数（以下の説明においては最小数と称するもととする）により収音した音声帯域信号に基づいてこの立体音場を再現するために必要とする収音方向別の音声帯域信号を生成することができるので、このマイクロフォンで構成する収音部をコンパクトかつ低価格化できる。
【０１６７】
また本発明の実施の形態によれば、マルチチャンネル音声帯域信号を最少数のマイクロフォンを用いて必要な指向性をもたせて合成することによりマイクロフォン装置を小型化低価格化して、手の平サイズのカメラ一体型ＶＴＲ装置の様な家庭用小型撮影装置と組み合わせて使用してこの立体音場構成する為に必要な音声帯域信号を記録することが可能になり、また立体音場収音用の小型マイクロホン単体としての商品化が容易になる。
【０１６８】
また本発明の実施の形態によれば、マルチチャンネル音声帯域信号を最少数のマイクロフォンを用いて必要な指向特性性を合成することでマイクロフォン装置を小型軽量化できるので、このマイクロフォン装置の部分を手の平サイズのカメラ一体型ＶＴＲ装置等の小型の撮影記録装置に内蔵することができ、あるいはこのこのマイクロフォン装置の部分を単体商品としても小型化を図ることができるので、小型の撮影記録装置に対して着脱自在に取付けて使用することが容易になる。
【０１６９】
【発明の効果】
本発明によれば複数の信号チャンネルの音声帯域信号を多重化して記録することを可能にしたので、立体音場を生成する為に収音した信号の如く信号チャンネル数の多いマルチチャンネル信号を、音声帯域信号の記録チャンネル数が限られている信号記録装置においても容易に記録することができる。
【図面の簡単な説明】
【図１】本発明による信号処理系の一例を示したブロック図。
【図２】本発明による信号処理系の他の一例を示したブロック図。
【図３】本発明による信号処理系の更に他の一例を示したブロック図。
【図４】本発明による信号処理系の更に他の一例を示したブロック図。
【図５】本発明による収音部の一例を示したブロック図。
【図６】本発明による収音部の他の一例を示したブロック図。
【図７】本発明による収音部の更に他の一例を示したブロック図。
【符号の説明】
１‥‥サウンド収音用マイクロフォンの入力端子群（収音マイク入力端子群）、ＦＬ‥‥前左方向からの収音信号，・・・・・，ＲＲ‥‥後右方向からの収音信号、７‥‥記録再生装置（ＶＴＲ）、２３Ａ，４０Ａ‥‥第１のマイクロフォン部、２３Ｂ，４０Ｂ‥‥第２のマイクロフォン部、２３Ｃ，４０Ｃ‥‥第３のマイクロフォン部、２５Ｂ‥‥前左方向（ＦＬ方向），・・・・・，２５Ｆ‥‥後左方向（ＲＬ方向）、２５Ｈ‥‥右後方（ＲＲ方向）、１００，２００，３００‥‥カメラ一体型ＶＴＲ装置の信号処理系（信号処理系）
【図１】
0004538860.tif 000002
【図２】
0004538860.tif 000003
【図３】
0004538860.tif 000004
【図４】
0004538860.tif 000005
【図５】
0004538860.tif 000006
【図６】
0004538860.tif 000007
【図７】
0004538860.tif 000008